【手続補正書】
【提出日】平成18年5月17日(2006.5.17)
【手続補正１】
【補正対象書類名】明細書
【補正対象項目名】特許請求の範囲
【補正方法】変更
【補正の内容】
【特許請求の範囲】
【請求項１】
映像または音声の少なくとも一方を含むコンテンツ信号を受信する受信装置において、
ユーザの操作コマンドを入力する操作コマンド入力手段と、
前記操作コマンド入力手段が入力した前記操作コマンドに対応して前記コンテンツ信号を受信するコンテンツ信号受信手段と、
前記コンテンツ信号受信手段が受信中の前記コンテンツ信号に基づいて再生されたコンテンツに対する前記ユーザの嗜好を入力する嗜好入力手段と、
前記操作コマンド入力手段が入力した前記操作コマンド、および前記嗜好入力手段が入力した前記嗜好から成る視聴イベントを、その入力時刻とともに記憶する記憶手段と、
前記記憶手段が記憶している前記視聴イベントおよび前記入力時刻を用いて視聴情報を生成する視聴情報生成手段と、
前記視聴情報生成手段が生成した前記視聴情報を送信する視聴情報送信手段と
を含むことを特徴とする受信装置。
【請求項２】
前記コンテンツ信号に多重化されている付加情報を受信し、所定の処理を施す付加情報処理手段を
さらに含むことを特徴とする請求項１に記載の受信装置。
【請求項３】
映像または音声の少なくとも一方を含むコンテンツ信号を受信する受信装置の受信方法において、
ユーザの操作コマンドを入力する操作コマンド入力ステップと、
前記操作コマンド入力ステップで入力した前記操作コマンドに対応して前記コンテンツ信号を受信するコンテンツ信号受信ステップと、
前記コンテンツ信号受信ステップで受信中の前記コンテンツ信号に基づいて再生されたコンテンツに対する前記ユーザの嗜好を入力する嗜好入力ステップと、
前記操作コマンド入力ステップで入力した前記操作コマンド、および前記嗜好入力ステップで入力した前記嗜好から成る視聴イベントを、その入力時刻とともに記憶する記憶ステップと、
前記記憶ステップで記憶した前記視聴イベントおよび前記入力時刻を用いて視聴情報を生成する視聴情報生成ステップと、
前記視聴情報生成ステップで生成した前記視聴情報を送信する視聴情報送信ステップと
を含むことを特徴とする受信方法。
【請求項４】
映像または音声の少なくとも一方を含むコンテンツ信号を受信する受信装置に、
ユーザの操作コマンドを入力する操作コマンド入力ステップと、
前記操作コマンド入力ステップで入力した前記操作コマンドに対応して前記コンテンツ信号を受信するコンテンツ信号受信ステップと、
前記コンテンツ信号受信ステップで受信中の前記コンテンツ信号に基づいて再生されたコンテンツに対する前記ユーザの嗜好を入力する嗜好入力ステップと、
前記操作コマンド入力ステップで入力した前記操作コマンド、および前記嗜好入力ステップで入力した前記嗜好から成る視聴イベントを、その入力時刻とともに記憶する記憶ステップと、
前記記憶ステップで記憶した前記視聴イベントおよび前記入力時刻を用いて視聴情報を生成する視聴情報生成ステップと、
前記視聴情報生成ステップで生成した前記視聴情報を送信する視聴情報送信ステップと
を含む処理を実行させるコンピュータが読み取り可能なプログラムを提供することを特徴とする提供媒体。
【請求項５】
映像または音声の少なくとも一方を含むコンテンツ信号を送信する放送装置において、
入力される視聴情報を視聴者毎に分類して記憶する視聴者情報記憶手段と、
所定の検索条件を用いて前記視聴情報記憶手段が記憶している前記視聴情報を検索し、前記視聴者毎の嗜好情報を生成する嗜好情報生成手段と、
前記嗜好情報生成手段が生成した前記嗜好情報に基づいて付加情報を生成する付加情報生成手段と、
前記付加情報生成手段が生成した前記付加情報を前記コンテンツ信号に多重化して送信する付加情報送信手段と
を含むことを特徴とする放送装置。
【請求項６】
情報処理装置から入力される前記検索条件を受け付ける受付手段と、
前記嗜好情報を前記情報装置に出力する出力手段と
をさらに含むことを特徴とする請求項５に記載の放送装置。
【請求項７】
前記付加情報生成手段は、前記嗜好情報生成手段が生成した前記嗜好情報に基づいて電子プログラムガイドを生成する
ことを特徴とする請求項５に記載の放送装置。
【請求項８】
前記付加情報生成手段は、前記嗜好情報生成手段が生成した前記嗜好情報に基づいて電子ダイレクトメールを生成する
ことを特徴とする請求項５に記載の放送装置。
【請求項９】
映像または音声の少なくとも一方を含むコンテンツ信号を送信する放送装置の放送方法において、
入力される視聴情報を視聴者毎に分類して記憶する視聴者情報記憶ステップと、
所定の検索条件を用いて前記視聴情報記憶ステップで記憶した前記視聴情報を検索し、前記視聴者毎の嗜好情報を生成する嗜好情報生成ステップと、
前記嗜好情報生成ステップで生成した前記嗜好情報に基づいて付加情報を生成する付加情報生成ステップと、
前記付加情報生成ステップで生成した前記付加情報を前記コンテンツ信号に多重化して送信する付加情報送信ステップと
を含むことを特徴とする放送方法。
【請求項１０】
映像または音声の少なくとも一方を含むコンテンツ信号を送信する放送装置に、
入力される視聴情報を視聴者毎に分類して記憶する視聴者情報記憶ステップと、
所定の検索条件を用いて前記視聴情報記憶ステップで記憶した前記視聴情報を検索し、前記視聴者毎の嗜好情報を生成する嗜好情報生成ステップと、
前記嗜好情報生成ステップで生成した前記嗜好情報に基づいて付加情報を生成する付加情報生成ステップと、
前記付加情報生成ステップで生成した前記付加情報を前記コンテンツ信号に多重化して送信する付加情報送信ステップと
を含む処理を実行させるコンピュータが読み取り可能なプログラムを提供することを特徴とする提供媒体。
【請求項１１】
映像または音声の少なくとも一方を含むコンテンツ信号を送信する放送装置に接続される情報処理装置において、
検索条件を生成して前記放送装置に供給する検索条件生成手段と、
前記検索条件を用いた検索結果を受信する検索結果受信手段と、
前記検索結果に対応して前記放送装置に付加情報の生成を要求する要求手段と
を含むことを特徴とする情報処理装置。
【請求項１２】
映像または音声の少なくとも一方を含むコンテンツ信号を送信する放送装置に接続される情報処理装置の情報処理方法において、
検索条件を生成して前記放送装置に供給する検索条件生成ステップと、
前記検索条件を用いた検索結果を受信する検索結果受信ステップと、
前記検索結果に対応して前記放送装置に付加情報の生成を要求する要求ステップと
を含むことを特徴とする情報処理方法。
【請求項１３】
映像または音声の少なくとも一方を含むコンテンツ信号を送信する放送装置に接続される情報処理装置に、
検索条件を生成して前記放送装置に供給する検索条件生成ステップと、
前記検索条件を用いた検索結果を受信する検索結果受信ステップと、
前記検索結果に対応して前記放送装置に付加情報の生成を要求する要求ステップと
を含む処理を実行させるコンピュータが読み取り可能なプログラムを提供することを特徴とする提供媒体。
【請求項１４】
映像または音声の少なくとも一方を含むコンテンツ信号を受信する受信装置、前記コンテンツ信号を送信する放送装置、および前記コンテンツ信号のスポンサが操作する情報処理装置から構成される双方向通信システムにおいて、
前記受信装置は、
ユーザの操作コマンドを入力する操作コマンド入力手段と、
前記操作コマンド入力手段が入力した前記操作コマンドに対応して前記コンテンツ信号を受信するコンテンツ信号受信手段と、
前記コンテンツ信号受信手段が受信中の前記コンテンツ信号に基づいて再生されたコンテンツに対する前記ユーザの嗜好を入力する嗜好入力手段と、
前記操作コマンド入力手段が入力した前記操作コマンド、および前記嗜好入力手段が入力した前記嗜好から成る視聴イベントを、その入力時刻とともに記憶する記憶手段と、
前記記憶手段が記憶している前記視聴イベントおよび前記入力時刻を用いて視聴情報を生成する視聴情報生成手段と、
前記視聴情報生成手段が生成した前記視聴情報を送信する視聴情報送信手段とを含み、
前記放送装置は、
入力される前記視聴情報を視聴者毎に分類して記憶する視聴者情報記憶手段と、
所定の検索条件を用いて前記視聴情報記憶手段が記憶している前記視聴情報を検索し、前記視聴者毎の嗜好情報を生成する嗜好情報生成手段と、
前記嗜好情報生成手段が生成した前記嗜好情報に基づいて付加情報を生成する付加情報生成手段と、
前記付加情報生成手段が生成した前記付加情報を前記コンテンツ信号に多重化して送信する付加情報送信手段とを含み、
前記情報処理装置は、
前記検索条件を生成して前記放送装置に供給する検索条件生成手段と、
前記検索条件を用いた検索結果を受信する検索結果受信手段と、
前記検索結果に対応して前記放送装置に付加情報の生成を要求する要求手段とを含む
ことを特徴とする双方向通信システム。
【請求項１５】
映像または音声の少なくとも一方を含むコンテンツ信号を受信する受信装置、前記コンテンツ信号を送信する放送装置、および前記コンテンツ信号のスポンサが操作する情報処理装置から構成される双方向通信システムの双方向通信方法において、
前記受信装置の受信方法は、
ユーザの操作コマンドを入力する操作コマンド入力ステップと、
前記操作コマンド入力ステップで入力した前記操作コマンドに対応して前記コンテンツ信号を受信するコンテンツ信号受信ステップと、
前記コンテンツ信号受信ステップで受信中の前記コンテンツ信号に基づいて再生されたコンテンツに対する前記ユーザの嗜好を入力する嗜好入力ステップと、
前記操作コマンド入力ステップで入力した前記操作コマンド、および前記嗜好入力ステップで入力した前記嗜好から成る視聴イベントを、その入力時刻とともに記憶する記憶ステップと、
前記記憶ステップで記憶した前記視聴イベントおよび前記入力時刻を用いて視聴情報を生成する視聴情報生成ステップと、
前記視聴情報生成ステップで生成した前記視聴情報を送信する視聴情報送信ステップとを含み、
前記放送装置の放送方法は、
入力される前記視聴情報を視聴者毎に分類して記憶する視聴者情報記憶ステップと、
所定の検索条件を用いて前記視聴情報記憶ステップで記憶した前記視聴情報を検索し、前記視聴者毎の嗜好情報を生成する嗜好情報生成ステップと、
前記嗜好情報生成ステップで生成した前記嗜好情報に基づいて付加情報を生成する付加情報生成ステップと、
前記付加情報生成ステップで生成した前記付加情報を前記コンテンツ信号に多重化して送信する付加情報送信ステップとを含み、
前記情報処理装置の情報処理方法は、
前記検索条件を生成して前記放送装置に供給する検索条件生成ステップと、
前記検索条件を用いた検索結果を受信する検索結果受信ステップと、
前記検索結果に対応して前記放送装置に付加情報の生成を要求する要求ステップとを含む
ことを特徴とする双方向通信方法。
【手続補正２】
【補正対象書類名】明細書
【補正対象項目名】０００８
【補正方法】変更
【補正の内容】
【０００８】
【課題を解決するための手段】
請求項１に記載の受信装置は、映像または音声の少なくとも一方を含むコンテンツ信号を受信する受信装置において、ユーザの操作コマンドを入力する操作コマンド入力手段と、操作コマンド入力手段が入力した操作コマンドに対応してコンテンツ信号を受信するコンテンツ信号受信手段と、コンテンツ信号受信手段が受信中のコンテンツ信号に基づいて再生されたコンテンツに対するユーザの嗜好を入力する嗜好入力手段と、操作コマンド入力手段が入力した操作コマンド、および嗜好入力手段が入力した嗜好から成る視聴イベントを、その入力時刻とともに記憶する記憶手段と、記憶手段が記憶している視聴イベントおよび入力時刻を用いて視聴情報を生成する視聴情報生成手段と、視聴情報生成手段が生成した視聴情報を送信する視聴情報送信手段とを含むことを特徴とする。
【手続補正３】
【補正対象書類名】明細書
【補正対象項目名】０００９
【補正方法】変更
【補正の内容】
【０００９】
請求項３に記載の受信方法は、映像または音声の少なくとも一方を含むコンテンツ信号を受信する受信装置の受信方法において、ユーザの操作コマンドを入力する操作コマンド入力ステップと、操作コマンド入力ステップで入力した操作コマンドに対応してコンテンツ信号を受信するコンテンツ信号受信ステップと、コンテンツ信号受信ステップで受信中のコンテンツ信号に基づいて再生されたコンテンツに対するユーザの嗜好を入力する嗜好入力ステップと、操作コマンド入力ステップで入力した操作コマンド、および嗜好入力ステップで入力した嗜好から成る視聴イベントを、その入力時刻とともに記憶する記憶ステップと、記憶ステップで記憶した視聴イベントおよび入力時刻を用いて視聴情報を生成する視聴情報生成ステップと、視聴情報生成ステップで生成した視聴情報を送信する視聴情報送信ステップとを含むことを特徴とする。
【手続補正４】
【補正対象書類名】明細書
【補正対象項目名】００１０
【補正方法】変更
【補正の内容】
【００１０】
請求項４に記載の提供媒体のプログラムは、映像または音声の少なくとも一方を含むコンテンツ信号を受信する受信装置に、ユーザの操作コマンドを入力する操作コマンド入力ステップと、操作コマンド入力ステップで入力した操作コマンドに対応してコンテンツ信号を受信するコンテンツ信号受信ステップと、コンテンツ信号受信ステップで受信中のコンテンツ信号に基づいて再生されたコンテンツに対するユーザの嗜好を入力する嗜好入力ステップと、操作コマンド入力ステップで入力した操作コマンド、および嗜好入力ステップで入力した嗜好から成る視聴イベントを、その入力時刻とともに記憶する記憶ステップと、記憶ステップで記憶した視聴イベントおよび入力時刻を用いて視聴情報を生成する視聴情報生成ステップと、視聴情報生成ステップで生成した視聴情報を送信する視聴情報送信ステップとを含む処理を実行させる。
【手続補正５】
【補正対象書類名】明細書
【補正対象項目名】００１１
【補正方法】変更
【補正の内容】
【００１１】
請求項５に記載の放送装置は、映像または音声の少なくとも一方を含むコンテンツ信号を送信する放送装置において、入力される視聴情報を視聴者毎に分類して記憶する視聴者情報記憶手段と、所定の検索条件を用いて視聴情報記憶手段が記憶している視聴情報を検索し、視聴者毎の嗜好情報を生成する嗜好情報生成手段と、嗜好情報生成手段が生成した嗜好情報に基づいて付加情報を生成する付加情報生成手段と、付加情報生成手段が生成した付加情報をコンテンツ信号に多重化して送信する付加情報送信手段とを含むことを特徴とする。
【手続補正６】
【補正対象書類名】明細書
【補正対象項目名】００１２
【補正方法】変更
【補正の内容】
【００１２】
請求項９に記載の放送方法は、映像または音声の少なくとも一方を含むコンテンツ信号を送信する放送装置の放送方法において、入力される視聴情報を視聴者毎に分類して記憶する視聴者情報記憶ステップと、所定の検索条件を用いて視聴情報記憶ステップで記憶した視聴情報を検索し、視聴者毎の嗜好情報を生成する嗜好情報生成ステップと、嗜好情報生成ステップで生成した嗜好情報に基づいて付加情報を生成する付加情報生成ステップと、付加情報生成ステップで生成した付加情報をコンテンツ信号に多重化して送信する付加情報送信ステップとを含むことを特徴とする。
【手続補正７】
【補正対象書類名】明細書
【補正対象項目名】００１３
【補正方法】変更
【補正の内容】
【００１３】
請求項１０に記載の提供媒体のプログラムは、映像または音声の少なくとも一方を含むコンテンツ信号を送信する放送装置に、入力される視聴情報を視聴者毎に分類して記憶する視聴者情報記憶ステップと、所定の検索条件を用いて視聴情報記憶ステップで記憶した視聴情報を検索し、視聴者毎の嗜好情報を生成する嗜好情報生成ステップと、嗜好情報生成ステップで生成した嗜好情報に基づいて付加情報を生成する付加情報生成ステップと、付加情報生成ステップで生成した付加情報をコンテンツ信号に多重化して送信する付加情報送信ステップとを含む処理を実行させる。
【手続補正８】
【補正対象書類名】明細書
【補正対象項目名】００１４
【補正方法】変更
【補正の内容】
【００１４】
請求項１１に記載の情報処理装置は、映像または音声の少なくとも一方を含むコンテンツ信号を送信する放送装置に接続される情報処理装置において、検索条件を生成して放送装置に供給する検索条件生成手段と、検索条件を用いた検索結果を受信する検索結果受信手段と、検索結果に対応して放送装置に付加情報の生成を要求する要求手段とを含むことを特徴とする。
【手続補正９】
【補正対象書類名】明細書
【補正対象項目名】００１５
【補正方法】変更
【補正の内容】
【００１５】
請求項１２に記載の情報処理方法は、映像または音声の少なくとも一方を含むコンテンツ信号を送信する放送装置に接続される情報処理装置の情報処理方法において、検索条件を生成して放送装置に供給する検索条件生成ステップと、検索条件を用いた検索結果を受信する検索結果受信ステップと、検索結果に対応して放送装置に付加情報の生成を要求する要求ステップとを含むことを特徴とする。
【手続補正１０】
【補正対象書類名】明細書
【補正対象項目名】００１６
【補正方法】変更
【補正の内容】
【００１６】
請求項１３に記載の提供媒体のプログラムは、映像または音声の少なくとも一方を含むコンテンツ信号を送信する放送装置に接続される情報処理装置に、検索条件を生成して放送装置に供給する検索条件生成ステップと、検索条件を用いた検索結果を受信する検索結果受信ステップと、検索結果に対応して放送装置に付加情報の生成を要求する要求ステップとを含む処理を実行させる。
【手続補正１１】
【補正対象書類名】明細書
【補正対象項目名】００１７
【補正方法】変更
【補正の内容】
【００１７】
請求項１４に記載の双方向通信システムは、映像または音声の少なくとも一方を含むコンテンツ信号を受信する受信装置、コンテンツ信号を送信する放送装置、およびコンテンツ信号のスポンサが操作する情報処理装置から構成される双方向通信システムにおいて、受信装置が、ユーザの操作コマンドを入力する操作コマンド入力手段と、操作コマンド入力手段が入力した操作コマンドに対応してコンテンツ信号を受信するコンテンツ信号受信手段と、コンテンツ信号受信手段が受信中のコンテンツ信号に基づいて再生されたコンテンツに対するユーザの嗜好を入力する嗜好入力手段と、操作コマンド入力手段が入力した操作コマンド、および嗜好入力手段が入力した嗜好から成る視聴イベントを、その入力時刻とともに記憶する記憶手段と、記憶手段が記憶している視聴イベントおよび入力時刻を用いて視聴情報を生成する視聴情報生成手段と、視聴情報生成手段が生成した視聴情報を送信する視聴情報送信手段とを含み、放送装置が、入力される視聴情報を視聴者毎に分類して記憶する視聴者情報記憶手段と、所定の検索条件を用いて視聴情報記憶手段が記憶している視聴情報を検索し、視聴者毎の嗜好情報を生成する嗜好情報生成手段と、嗜好情報生成手段が生成した嗜好情報に基づいて付加情報を生成する付加情報生成手段と、付加情報生成手段が生成した付加情報をコンテンツ信号に多重化して送信する付加情報送信手段とを含み、情報処理装置が、検索条件を生成して放送装置に供給する検索条件生成手段と、検索条件を用いた検索結果を受信する検索結果受信手段と、検索結果に対応して放送装置に付加情報の生成を要求する要求手段とを含むことを特徴とする。
【手続補正１２】
【補正対象書類名】明細書
【補正対象項目名】００１８
【補正方法】変更
【補正の内容】
【００１８】
請求項１５に記載の双方向通信方法は、映像または音声の少なくとも一方を含むコンテンツ信号を受信する受信装置、コンテンツ信号を送信する放送装置、およびコンテンツ信号のスポンサが操作する情報処理装置から構成される双方向通信システムの双方向通信方法において、受信装置の受信方法が、ユーザの操作コマンドを入力する操作コマンド入力ステップと、操作コマンド入力ステップで入力した操作コマンドに対応してコンテンツ信号を受信するコンテンツ信号受信ステップと、コンテンツ信号受信ステップで受信中のコンテンツ信号に基づいて再生されたコンテンツに対するユーザの嗜好を入力する嗜好入力ステップと、操作コマンド入力ステップで入力した操作コマンド、および嗜好入力ステップで入力した嗜好から成る視聴イベントを、その入力時刻とともに記憶する記憶ステップと、記憶ステップで記憶した視聴イベントおよび入力時刻を用いて視聴情報を生成する視聴情報生成ステップと、視聴情報生成ステップで生成した視聴情報を送信する視聴情報送信ステップとを含み、放送装置の放送方法が、入力される視聴情報を視聴者毎に分類して記憶する視聴者情報記憶ステップと、所定の検索条件を用いて視聴情報記憶ステップで記憶した視聴情報を検索し、視聴者毎の嗜好情報を生成する嗜好情報生成ステップと、嗜好情報生成ステップで生成した嗜好情報に基づいて付加情報を生成する付加情報生成ステップと、付加情報生成ステップで生成した付加情報をコンテンツ信号に多重化して送信する付加情報送信ステップとを含み、情報処理装置の情報処理方法が、検索条件を生成して放送装置に供給する検索条件生成ステップと、検索条件を用いた検索結果を受信する検索結果受信ステップと、検索結果に対応して放送装置に付加情報の生成を要求する要求ステップとを含むことを特徴とする。
【手続補正１３】
【補正対象書類名】明細書
【補正対象項目名】００１９
【補正方法】変更
【補正の内容】
【００１９】
請求項１に記載の受信装置、請求項３に記載の受信方法、および請求項４に記載の提供媒体のプログラムにおいては、ユーザの操作コマンドが入力され、入力された操作コマンドに対応してコンテンツ信号が受信されて、受信中のコンテンツ信号に基づいて再生されたコンテンツに対するユーザの嗜好が入力される。また、入力された操作コマンドおよび嗜好から成る視聴イベントが、その入力時刻とともに記憶され、記憶された視聴イベントおよび入力時刻を用いて視聴情報が生成されて送信される。
【手続補正１４】
【補正対象書類名】明細書
【補正対象項目名】００２０
【補正方法】変更
【補正の内容】
【００２０】
請求項５に記載の放送装置、請求項９に記載の放送方法、および請求項１０に記載の提供媒体のプログラムにおいては、入力される視聴情報が視聴者毎に分類されて記憶され、所定の検索条件を用いて記憶された視聴情報が検索されて、視聴者毎の嗜好情報が生成される。また、生成された嗜好情報に基づいて付加情報が生成され、生成された付加情報がコンテンツ信号に多重化されて送信される。
【手続補正１５】
【補正対象書類名】明細書
【補正対象項目名】００２１
【補正方法】変更
【補正の内容】
【００２１】
請求項１１に記載の情報処理装置、請求項１２に記載の情報処理方法、および請求項１３に記載の提供媒体のプログラムにおいては、検索条件が生成されて放送装置に供給され、検索条件を用いた検索結果が受信されて、その検索結果に対応して放送装置に付加情報の生成が要求される。
【手続補正１６】
【補正対象書類名】明細書
【補正対象項目名】００２２
【補正方法】変更
【補正の内容】
【００２２】
請求項１４に記載の双方向通信システム、および請求項１５に記載の双方向通信方法においては、受信装置で、ユーザの操作コマンドが入力され、入力された操作コマンドに対応してコンテンツ信号が受信されて、受信中のコンテンツ信号に基づいて再生されたコンテンツに対するユーザの嗜好が入力される。また、入力された操作コマンドおよび嗜好から成る視聴イベントが、その入力時刻とともに記憶され、記憶された視聴イベントおよび入力時刻を用いて視聴情報が生成されて送信される。また、放送装置で、入力される視聴情報が視聴者毎に分類されて記憶され、所定の検索条件を用いて記憶された視聴情報が検索されて、視聴者毎の嗜好情報が生成される。また、生成された嗜好情報に基づいて付加情報が生成され、生成された付加情報がコンテンツ信号に多重化されて送信される。さらに、情報処理放置で、検索条件が生成されて放送装置に供給され、検索条件を用いた検索結果が受信されて、その検索結果に対応して放送装置に付加情報の生成が要求される。
【手続補正１７】
【補正対象書類名】明細書
【補正対象項目名】００７６
【補正方法】変更
【補正の内容】
【００７６】
【発明の効果】
以上のように、請求項１に記載の受信装置、請求項３に記載の受信方法、および請求項４に記載の提供媒体のプログラムによれば、放送中の番組やコマーシャルに対する視聴者の嗜好をリアルタイムで送信することが可能となる。
【手続補正１８】
【補正対象書類名】明細書
【補正対象項目名】００７７
【補正方法】変更
【補正の内容】
【００７７】
また、請求項５に記載の放送装置、請求項９に記載の放送方法、および請求項１０に記載の提供媒体のプログラムによれば、視聴者の嗜好に対応した付加情報を送信することが可能となる。
【手続補正１９】
【補正対象書類名】明細書
【補正対象項目名】００７８
【補正方法】変更
【補正の内容】
【００７８】
さらに、請求項１１に記載の情報処理装置、請求項１２に記載の情報処理方法、および請求項１３に記載の提供媒体のプログラムによれば、特定の人物、商品等に対する視聴者の嗜好をリアルタイムで取得することが可能となる。
【手続補正２０】
【補正対象書類名】明細書
【補正対象項目名】００７９
【補正方法】変更
【補正の内容】
【００７９】
さらに、請求項１４に記載の双方向通信システム、および請求項１５に記載の双方向通信方法においては、視聴者の嗜好に対応した付加情報を送信することが可能となる。さらに、特定の人物、商品等に対する視聴者の嗜好をリアルタイムで取得することが可能となる。